【手続補正書】
【提出日】平成24年11月5日(2012.11.5)
【手続補正１】
【補正対象書類名】特許請求の範囲
【補正対象項目名】全文
【補正方法】変更
【補正の内容】
【特許請求の範囲】
【請求項１】
画像表示素子と、該画像表示素子により表示された画像をスクリーン上に投射する投射レンズと、該スクリーン上あるいは該スクリーンと同一平面上であって、該投射レンズの光軸と直交する第１方向で該投射レンズの光軸を挟んだ２つの測距点と、該投射レンズの光軸と直交し、該第１方向と直交する第２方向において、前記２つの測距点とは位置が異なる１つの測距点の、少なくとも３つの測距点の距離情報を各々検出する少なくとも３つの距離測定手段とを備えた画像表示装置であって、該３つの距離測定手段の光軸は、該投射レンズの光軸に対して、同じ角度だけ異なる方向に傾けて配置されていることを特徴とする画像表示装置。
【請求項２】
前記３つの距離測定手段で得られる距離情報を表示する表示手段を有することを特徴とする請求項１の画像表示装置。
【請求項３】
画像表示素子と、該画像表示素子により表示された画像をスクリーン上に投射する投射レンズと、該スクリーン上あるいは該スクリーンと同一平面上であって、該投射レンズの光軸と直交する第１方向で該投射レンズの光軸を挟んだ２つの測距点と、該投射レンズの光軸と直交し、該第１方向と直交する第２方向において、前記２つの測距点とは位置が異なる１つの測距点の少なくとも３つの測距点の距離情報を各々検出する３つの距離測定手段と、を備えた画像表示装置であって、該３つの距離測定手段から得られる３点の距離情報から、該投射レンズの光軸と該スクリーンの法線との傾き角度を算出する演算手段とを備え、該３つの距離測定手段の光軸は、各々該投射レンズの光軸に対して、同じ角度だけ異なる方向に傾けて配置されていることを特徴とする画像表示装置。
【請求項４】
前記演算手段から出力された前記傾き角度情報を表示する表示手段を有することを特徴とする請求項３の画像表示装置。
【請求項５】
前記３つの距離測定手段の光軸は、前記投射レンズの光軸に対して７度以上傾いていることを特徴とする請求項１乃至４のいずれか１項の画像表示装置。
【請求項６】
前記３つの距離測定手段は、該３つの距離測定手段の光軸が、前記投射レンズの光軸上の１点で交差するように配置されていることを特徴とする請求項１乃至５のいずれか１項の画像表示装置。
【請求項７】
前記３つの距離測定手段は、各々基線長を隔てて配置される２つのレンズと、１次元ラインセンサを有し、該２つのレンズにより結像される２つの物体像の間隔を検出することにより、前記測距点までの距離を検出することを特徴とする請求項１乃至６のいずれか１項の画像表示装置。
【請求項８】
前記第２方向の測距点を測距する距離測定手段は前記第１方向に２つのレンズを備え、前記第１方向の測距点を測距する距離測定手段は第２方向に２つのレンズを備え、前記画像表示素子は、前記第１および２方向にエッジを有するパターンを表示することを特徴とする請求項１乃至７のいずれか１項の画像表示装置。
【請求項９】
前記画像表示装置の傾きが調整可能な調整手段を備えることを特徴とする請求項１乃至８のいずれか１項の画像表示装置。
【請求項１０】
前記画像表示装置の筐体を設置する下面に対して、平行な方向に移動可能な移動手段を備えることを特徴とする請求項１乃至９のいずれか１項の画像表示装置。
【請求項１１】
前記画像表示装置の筐体を設置する下面に対して、前記第２方向の高さが調整可能な調整手段を備えることを特徴とする請求項１乃至１０のいずれか１項の画像表示装置。
【請求項１２】
前記投射レンズの光軸を前記画像表示素子に対して垂直な状態で前記第１方向と前記第２方向に移動させるシフト機構を備えることを特徴とする請求項１乃至１１のいずれか１項の画像表示装置。
【請求項１３】
画像表示素子と、該画像表示素子により表示された画像をスクリーン上に投射する投射レンズと、該スクリーン上あるいは該スクリーンと同一平面上であって、該投射レンズの光軸と直交する第１方向で該投射レンズの光軸を挟んだ２つの測距点と、該投射レンズの光軸と直交し、該第１方向と直交する第２方向において、前記２つの測距点とは位置が異なる１つの測距点の少なくとも３つの測距点の距離情報を各々検出する少なくとも３つの距離測定手段と、前記投射レンズによる投射範囲を撮像する撮像手段とを有する画像表示装置であって、
前記投射レンズの光軸とスクリーンの法線の傾き角度を検出する角度検出手段と、
前記投射レンズの光軸を前記画像表示素子に対して垂直な状態で第１方向と第２方向に移動させるシフト機構と、
前記画像表示装置の筐体を設置する下面に対して、第１方向に移動可能とする移動手段と、前記画像表示装置の傾きを可変とする調整手段とを備えたことを特徴とする画像表示装置。
【手続補正２】
【補正対象書類名】明細書
【補正対象項目名】０００８
【補正方法】変更
【補正の内容】
【０００８】
本発明の画像表示装置は、画像表示素子と、該画像表示素子により表示された画像をスクリーン上に投射する投射レンズと、該スクリーン上あるいは該スクリーンと同一平面上であって、該投射レンズの光軸と直交する第１方向で該投射レンズの光軸を挟んだ２つの測距点と、該投射レンズの光軸と直交し、該第１方向と直交する第２方向において、前記２つの測距点とは位置が異なる１つの測距点の、少なくとも３つの測距点の距離情報を各々検出する少なくとも３つの距離測定手段とを備えた画像表示装置であって、該３つの距離測定手段の光軸は、該投射レンズの光軸に対して、同じ角度だけ異なる方向に傾けて配置されていることを特徴としている。
この他、画像表示素子と、該画像表示素子により表示された画像をスクリーン上に投射する投射レンズと、該スクリーン上あるいは該スクリーンと同一平面上であって、該投射レンズの光軸と直交する第１方向で該投射レンズの光軸を挟んだ２つの測距点と、該投射レンズの光軸と直交し、該第１方向と直交する第２方向において、前記２つの測距点とは位置が異なる１つの測距点の少なくとも３つの測距点の距離情報を各々検出する３つの距離測定手段と、を備えた画像表示装置であって、該３つの距離測定手段から得られる３点の距離情報から、該投射レンズの光軸と該スクリーンの法線との傾き角度を算出する演算手段とを備え、該３つの距離測定手段の光軸は、各々該投射レンズの光軸に対して、同じ角度だけ異なる方向に傾けて配置されていることを特徴としている。
この他、画像表示素子と、該画像表示素子により表示された画像をスクリーン上に投射する投射レンズと、該スクリーン上あるいは該スクリーンと同一平面上であって、該投射レンズの光軸と直交する第１方向で該投射レンズの光軸を挟んだ２つの測距点と、該投射レンズの光軸と直交し、該第１方向と直交する第２方向において、前記２つの測距点とは位置が異なる１つの測距点の少なくとも３つの測距点の距離情報を各々検出する少なくとも３つの距離測定手段と、前記投射レンズによる投射範囲を撮像する撮像手段とを有する画像表示装置であって、
前記投射レンズの光軸とスクリーンの法線の傾き角度を検出する角度検出手段と、
前記投射レンズの光軸を前記画像表示素子に対して垂直な状態で第１方向と第２方向に移動させるシフト機構と、
前記画像表示装置の筐体を設置する下面に対して、第１方向に移動可能とする移動手段と、前記画像表示装置の傾きを可変とする調整手段とを備えたことを特徴としている。
【手続補正３】
【補正対象書類名】明細書
【補正対象項目名】００１４
【補正方法】変更
【補正の内容】
【００１４】
そして３つの測距装置の光軸は投射レンズの光軸ＣＬに対して、それぞれ同じ角度だけ異なる方向に傾けて配置されている。具体的に、スクリーンＳＣに向かって、上方向、右方向、左方向にある３つの測距装置をそれぞれＤＳＵ、ＤＳＲ、ＤＳＬとする。３つの測距装置の光軸をＤＳＲＣＬ、ＤＳＬＣＬ、ＤＳＵＣＬとすると、それぞれの光軸は、投射レンズの光軸ＣＬ上の１点Ｆから、スクリーンＳＣ上の３点、Ａ、Ｂ、Ｃに向かうよう配置されている。即ち、３つの測距装置の光軸は投射レンズの光軸上の一点で交差する。各測距装置の光軸上の一点で交わるように測距装置を配置することで、スクリーンＳＣと投射レンズの光軸ＣＬが垂直な場合、３つの測距装置ＤＳＲ、ＤＳＬ、ＤＳＵの基準位置（測距装置の第１レンズ面）から各測距点までの距離を同一値になる。３つの測距装置の光軸は投射レンズの光軸ＣＬに対して７度以上傾いている。